(57)【要約】【課題】過電流を高い精度で検出できる保護回路及び電池パック並びに電子機器を提供すること。【解決手段】保護回路３４は、電流を供給するバッテリセル４４と、バッテリセル４４から出力される電流値を検出する抵抗Ｒ２と、所定の閾値電流を設定するレジスタ５０と、レジスタ５０により設定された閾値電流に基づく電圧Ｖ１と、抵抗Ｒ２により検出された電流値に基づく電圧Ｖ２とに基づく入力電圧を比較し、比較した結果に応じて所定の電圧を出力するオペアンプ５５と、オペアンプ５５により出力された所定の電圧に応じて、バッテリセル４４による電流の供給を制御するＦＥＴスイッチ４６とを備えることを特徴とする。【選択図】図４
2010130755.tif 000002
【特許請求の範囲】
【請求項１】
電流を供給する供給部と、
前記供給部から出力される電流値を検出する検出部と、
所定の閾値電流を設定する設定部と、
前記設定部により設定された閾値電流に基づく電圧値と、前記検出部により検出された電流値に基づく電圧値とに基づく入力電圧を比較し、比較した結果に応じて所定の電圧を出力する出力部と、
前記出力部により出力された前記所定の電圧に応じて、前記供給部による電流の供給を制御する制御部とを備えることを特徴とする保護回路。
【請求項２】
前記出力部は、前記設定部により設定された閾値電流に基づく電圧値と、前記検出部により検出された電流値に基づく電圧値とを比較し、前記検出部により検出された電流値に基づく電圧値が前記閾値電流に基づく電圧値よりも大きい場合、前記供給部から電流の供給が行われるときの第１の電圧とは異なる第２の電圧を出力し、
前記制御部は、前記出力部により前記第２の電圧が出力された場合、前記供給部による電流の供給を停止するように制御することを特徴とする請求項１に記載の保護回路。
【請求項３】
前記出力部は、前記設定部により設定された閾値電流に基づく電圧値及び前記検出部により検出された電流値に基づく電圧値の合計値と、予め設定された基準電圧値とを比較し、前記合計値が前記基準電圧値よりも大きい場合、前記供給部から電流の供給が行われるときの第１の電圧とは異なる第２の電圧を出力し、
前記制御部は、前記出力部により前記第２の電圧が出力された場合、前記供給部による電流の供給を停止するように制御することを特徴とする請求項１に記載の保護回路。
【請求項４】
請求項１から３に記載の保護回路を備えることを特徴とする電池パック。
【請求項５】
前記電池パックは、電子機器と接続し、該電子機器へ電流を供給する複数の給電端子を備え、
前記設定部は、前記給電端子と前記電子機器との接続を解除した状態において、前記給電端子が短絡されたとき、前記検出部により検出される電流値に基づく電圧値が前記設定部により設定された閾値電流に基づく電圧値よりも大きくなるように該閾値電流を設定することを特徴とする請求項４に記載の電池パック。
【請求項６】
前記設定部は、前記給電端子と前記電子機器とを接続した状態において、前記電子機器の動作状態に応じた信号に基づいて、前記閾値電流を設定することを特徴とする請求項５に記載の電池パック。
【請求項７】
前記電池パックと、
前記電子機器と前記電池パックとが接続された状態において、前記電池パックに対して前記電子機器の動作状態に応じた信号を出力する信号出力部とを備えることを特徴とする請求項５又は６に記載の電子機器。
【発明の詳細な説明】
【技術分野】
【０００１】
本発明は、過電流を検出する保護回路及び保護回路を備える電池パック並びに電池パックを備える電子機器に関する。
【背景技術】
【０００２】
従来、携帯電話機等の電子機器に搭載される電池パックには、一般的に保護回路が設けられている。保護回路は、電池パックを充電する際の過電圧保護、充電端子の短絡時の過電流保護、電池パックの過放電時の過放電保護等の機能を有する。
【０００３】
このような保護回路は、比較的大きな電流値を検出したときに、短時間で電池パックを保護するように設計されている。
【０００４】
そして、保護回路は、一般的にＦＥＴ（Ｆｉｅｌｄ  Ｅｆｆｅｃｔ  Ｔｒａｎｓｉｓｔｏｒ：電界効果トランジスタ）等の駆動素子の有するＯＮ抵抗を過電流の検出のための電流検出抵抗として用い、電流検出抵抗により検出された過電流に基づいて、電池パックを保護するように制御している。しかし、ＭＯＳＦＥＴ等の駆動素子は、温度変化によるＯＮ抵抗のバラツキが大きく、高い精度で過電流を保護することが困難であった。
【０００５】
一方、駆動素子を用いずに、電池パックの過電流保護をより高い精度で行うための保護回路も提案されている。例えば、特許文献１には、検出されたＯＮ／ＯＦＦ回路による電圧降下と、外部から通信により設定可能な過電流検出電圧値とを比較し、過電流を判定する保護回路が提案されている。
【特許文献１】特開２００４−３０４９１４号公報
【発明の開示】
【発明が解決しようとする課題】
【０００６】
しかしながら、特許文献１に記載された保護回路では、電池パックが接続される電子機器で使用される際の最大電流値を過電流として検出する電流値とする必要があった。このため、最大電流値以下の過電流を検出することが困難であった。
【０００７】
そこで、本発明は、過電流を高い精度で検出できる保護回路及び電池パック並びに電子機器を提供することを目的とする。
【課題を解決するための手段】
【０００８】
本発明に係る保護回路は、上記課題を解決するために、電流を供給する供給部と、前記供給部から出力される電流値を検出する検出部と、所定の閾値電流を設定する設定部と、前記設定部により設定された閾値電流に基づく電圧値と、前記検出部により検出された電流値に基づく電圧値とに基づく入力電圧を比較し、比較した結果に応じて所定の電圧を出力する出力部と、前記出力部により出力された前記所定の電圧に応じて、前記供給部による電流の供給を制御する制御部とを備えることを特徴とする。
【０００９】
また、前記出力部は、前記設定部により設定された閾値電流に基づく電圧値と、前記検出部により検出された電流値に基づく電圧値とを比較し、前記検出部により検出された電流値に基づく電圧値が前記閾値電流に基づく電圧値よりも大きい場合、前記供給部から電流の供給が行われるときの第１の電圧とは異なる第２の電圧を出力し、前記制御部は、前記出力部により前記第２の電圧が出力された場合、前記供給部による電流の供給を停止するように制御することが好ましい。
【００１０】
また、前記出力部は、前記設定部により設定された閾値電流に基づく電圧値及び前記検出部により検出された電流値に基づく電圧値の合計値と、予め設定された基準電圧値とを比較し、前記合計値が前記基準電圧値よりも大きい場合、前記供給部から電流の供給が行われるときの第１の電圧とは異なる第２の電圧を出力し、前記制御部は、前記出力部により前記第２の電圧が出力された場合、前記供給部による電流の供給を停止するように制御することが好ましい。
【００１１】
本発明に係る電池パックは、上記課題を解決するために、前記保護回路を備えることを特徴とする。
【００１２】
また、前記電池パックは、電子機器と接続し、該電子機器へ電流を供給する複数の給電端子を備え、前記設定部は、前記給電端子と前記電子機器との接続を解除した状態において、前記給電端子が短絡されたとき、前記検出部により検出される電流値に基づく電圧値が前記設定部により設定された閾値電流に基づく電圧値よりも大きくなるように該閾値電流を設定することが好ましい。
【００１３】
また、前記設定部は、前記給電端子と前記電子機器とを接続した状態において、前記電子機器の動作状態に応じた信号に基づいて、前記閾値電流を設定することが好ましい。
【００１４】
本発明に係る電子機器は、上記課題を解決するために、前記電池パックと、前記電子機器と前記電池パックとが接続された状態において、前記電池パックに対して前記電子機器の動作状態に応じた信号を出力する信号出力部とを備えることを特徴とする。
【発明の効果】
【００１５】
本発明によれば、過電流を高い精度で検出できる保護回路及び電池パック並びに電子機器を提供することができる。
【発明を実施するための最良の形態】
【００１６】
以下、本発明の実施の形態について説明する。図１は、本発明に係る電子機器の一例である携帯電話機１の外観斜視図を示す。なお、以下では、携帯電話機について説明するが、本発明はこれに限定されるものではなく、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１７】
携帯電話機１は、操作部側筐体２と、表示部側筐体３と、を備える。操作部側筐体２は、表面部１０に、操作キー群１１と、使用者が通話時に発した音声が入力されるマイク１２と、を備える。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体３は、表面部２０に、各種情報を表示するためのディスプレイ２１と、通話の相手側の音声を出力する音声出力部２２と、を備える。
【００１９】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とが折り畳まれた状態（折畳み状態）にしたりできる。
【００２０】
なお、図１は、いわゆる折り畳み型の携帯電話機の形態を示しているが、本発明に係る携帯電話機の形態としては特にこれに限られず、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）等であってもよい。
【００２１】
また、図２は、操作部側筐体２の一部を分解した斜視図を示している。操作部側筐体２は、図２に示すように、回路基板３０と、リアケース部３１と、充電可能な電池である電池パック３２と、電池パックカバー３３と、によって構成されている。
【００２２】
回路基板３０は、所定の演算処理を行うＣＰＵ等の素子（後述するシステムＩＣ６４に相当）が実装されており、表面部１０上の操作キー群１１が使用者により操作が行われたときに、所定の信号がＣＰＵに供給される。また、回路基板３０には、電池端子として正極端子８１、負極端子８２、及びＩＤ端子８３が実装されている。
【００２３】
リアケース部３１は、ヒンジ機構４を固定するヒンジ機構固定部３１Ａと、所定の使用周波数帯により通信を行うメインアンテナ７０を収納するメインアンテナ収納部３１Ｂと、電池パック３２を格納する電池パック格納部３１Ｃと、を備えている。
【００２４】
＜携帯電話機１の機能ブロック＞
図３は、携帯電話機１の機能を示す機能ブロック図である。携帯電話機１は、図３に示すように、メインアンテナ７０と、メインアンテナ７０に接続されている送受信処理ブロック６０と、各種情報を表示するためのディスプレイ２１と、通話の相手側の音声を出力する音声出力部２２と、メモリ６３と、システムＩＣ６４と、２次電池としての電池パック３２と、操作キー群１１と、を備える。
【００２５】
メインアンテナ７０は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ７０は、所定の使用周波数帯の他に、他の使用周波数帯（例えば、２ＧＨｚ）に対応できる、いわゆるデュアルバンド対応型による構成であってもよいし、更に、３つ以上の使用周波数帯にも対応できる複数バンド対応型により構成されていてもよい。
【００２６】
送受信処理ブロック６０は、メインアンテナ７０によって受信した信号をローノイズアンプにより増幅し、増幅後の信号を復調処理し、処理後の信号をシステムＩＣ６４に供給し、また、システムＩＣ６４から供給された信号を変調処理し、変調処理後の信号をパワーアンプにより増幅し、増幅後の信号をメインアンテナ７０から外部装置（基地局）に送信する。
【００２７】
ディスプレイ２１及び音声出力部２２は、使用者に対して各種情報を視覚的、聴覚的に報知する報知部としての役割を担っている。
【００２８】
メモリ６３は、不揮発性記憶媒体であって、各種データを記憶する。
【００２９】
システムＩＣ６４は、ＲＯＭ、ＲＡＭ、ＡＬＵ（Ａｒｉｔｈｍｅｔｉｃ  ａｎｄ  Ｌｏｇｉｃ  Ｕｎｉｔ）、クロック信号生成部、Ａ／Ｄコンバータ部、複数のＩ／Ｏポート等を備え、携帯電話機１全体を制御する。
【００３０】
＜第１実施形態＞
図４は、本発明に係る第１実施形態の電池パック３２及び電池パック３２の過電流を抑制するための保護回路３４について示す回路図である。図４に示すように、携帯電話機１は、システムＩＣ６４（信号出力部）と、正極端子８１と、負極端子８２と、ＩＤ端子８３と、バッファ８４と、抵抗Ｒ１とを備える。
【００３１】
また、電池パック３２は、主として、保護回路３４と、電流を供給するバッテリセル４４（供給部）と、ＰＴＣ抵抗素子４５とを備える。保護回路３４は、主として、正極端子４１（給電端子）と、負極端子４２（給電端子）と、ＩＤ端子４３と、バッテリセル４４からの放電を制御するＦＥＴスイッチ４６（制御部）と、バッテリセル４４への充電を制御するＦＥＴスイッチ４７と、Ａ／Ｄコンバータ４８と、ラッチ４９と、レジスタ５０（設定部）と、Ｄ／Ａコンバータ５１と、タイマ５２と、バッファ５３と、オペアンプ５４と、オペアンプ５５（出力部）と、保護ＩＣ５６と、抵抗Ｒ２（検出部）と、抵抗Ｒ３と、抵抗Ｒ４と、抵抗Ｒ５と、抵抗Ｒ６とを備える。
【００３２】
正極端子８１及びＩＤ端子８３は、システムＩＣ６４に接続している。また、ＩＤ端子８３とシステムＩＣ６４のＤ／Ａ出力端子８５との間には、バッファ８４が配置される。そして、ＩＤ端子８３と、バッファ８４との間には、抵抗Ｒ１の一端が接続される。また、正極端子８１と、システムＩＣ６４のＶＤＤとの間には、抵抗Ｒ１の他端が接続される。更に、システムＩＣ６４のＡ／Ｄ入力端子８６は、ＩＤ端子８３とバッファ８４との間に接続される。
【００３３】
システムＩＣ６４は、携帯電話機１と電池パック３２とが接続された状態において、携帯電話機１の動作状態に応じた電圧（信号）をＩＤ端子８３から電池パック３２に対して出力する。具体的には、携帯電話機１の電源がＯＦＦ状態の場合には、システムＩＣ６４は、携帯電話機１の起動動作に対応する電圧を出力する。また、携帯電話機１が起動した状態、すなわち電源がＯＮ状態の場合、システムＩＣ６４は、例えば携帯電話機１の待ち受け状態に対応する電圧を出力する。
【００３４】
抵抗Ｒ１は、正極端子４１及び正極端子８１と、負極端子４２及び負極端子８２と、ＩＤ端子４３及びＩＤ端子８３との接続した状態、すなわち携帯電話機１と電池パック３２とを接続した状態において、プルアップ抵抗として機能する。そして、抵抗Ｒ１は、携帯電話機１と電池パック３２とを接続した場合、プルアップした信号をＩＤ端子８３から出力する。
【００３５】
正極端子４１、負極端子４２、及びＩＤ端子４３は、それぞれ携帯電話機１の正極端子８１、負極端子８２、及びＩＤ端子８３と電気的に接続し、携帯電話機１全体に電流を供給する。
【００３６】
Ａ／Ｄコンバータ４８は、ＩＤ端子４３を介してＩＤ端子８３から供給されたアナログ信号をデジタル信号へ変換する。ラッチ４９は、Ａ／Ｄコンバータ４８により変換されたデジタル信号をラッチする。
【００３７】
レジスタ５０は、レジスタマップを参照してＡ／Ｄコンバータ４８及びラッチ４９を介して入力される信号に応じた閾値電流の設定を行う。図５は、レジスタ５０に記憶される４ビットのレジスタマップの一例を示す図である。図５に示すように、レジスタマップは、システムＩＣ６４から入力された信号に対応する設定値と、この設定値に応じた電流値とが記憶される。なお、図５のレジスタマップでは、４ビットの例を示したが、これに限らない。レジスタマップの設定値（分解能）は、必要に応じてビット数を増加することで、閾値電流をより多段階に設定することが可能となる。
【００３８】
図４に戻り、Ｄ／Ａコンバータ５１は、レジスタ５０から供給されたデジタル信号をアナログ信号へ変換する。また、タイマ５２は、Ａ／Ｄコンバータ４８、ラッチ４９、レジスタ５０、及びＤ／Ａコンバータ５１と接続される。
【００３９】
ここで、ＩＤ端子４３から入力された信号がオペアンプ５５に入力されるまでの動作について説明する。先ず、ＩＤ端子４３から入力された信号は、Ａ／Ｄコンバータ４８及びラッチ４９を介し、レジスタ５０により入力された信号に応じた閾値電流に設定される。そして、Ｄ／Ａコンバータ５１及びバッファ５３を介した閾値電流に対応する電圧Ｖ１は、オペアンプ５５のプラス端子に入力される。
【００４０】
抵抗Ｒ６は、ＩＤ端子４３と、Ａ／Ｄコンバータ４８との間に一端が接続され、他端がＧＮＤに接続されている。抵抗Ｒ６は、システムＩＣ６４からの信号に応じて電池パック３２の種別を判定するために設けられている。また、抵抗Ｒ６は、電源が遮断された際には、プルダウン抵抗として機能する。また、図５に示したように、レジスタ５０は、抵抗Ｒ６がプルダウン抵抗として機能したときの電圧（信号）に対応した設定値と、この設定値に対応した電流値とをレジスタマップに予め記憶している。そして、レジスタ５０は、レジスタマップを参照して、閾値電流を抵抗Ｒ６によりプルダウンされた場合の信号に対応した電流値に設定する。
【００４１】
抵抗Ｒ２は、バッテリセル４４から出力され、ＰＴＣ抵抗素子４５を介した電流を検出する電流検出抵抗である。そして、抵抗Ｒ２を介し、オペアンプ５４により増幅された電圧Ｖ２は、オペアンプ５５のマイナス端子に入力される。
【００４２】
オペアンプ５５は、プラス端子から入力された電圧Ｖ１と、マイナス端子から入力された電圧Ｖ２とが入力電圧として入力される。そして、オペアンプ５５は、電圧Ｖ１と電圧Ｖ２とを比較し、比較した結果、電圧Ｖ２が電圧Ｖ１よりも小さい場合、第１の電圧値（Ｈｉｇｈ）を出力する。
【００４３】
また、オペアンプ５５は、電圧Ｖ２が電圧Ｖ１よりも大きい場合、第１の電圧値よりも低い電位差の第２の電圧値（Ｌｏｗ）を出力する。
【００４４】
ＦＥＴスイッチ４６は、例えばＭＯＳＦＥＴにより構成され、スイッチのゲートラインとオペアンプ５５とが接続される。そして、ＦＥＴスイッチ４６は、バッテリセル４４からの放電を制御する。具体的には、オペアンプ５５から出力される出力電圧値が第１の電圧値（Ｈｉｇｈ）である場合、ＦＥＴスイッチ４６は、スイッチをＯＮ状態にする。これにより、バッテリセル４４から携帯電話機１へ電流を供給することができる。
【００４５】
また、オペアンプ５５から出力される出力電圧値が第２の電圧値（Ｌｏｗ）である場合、ＦＥＴスイッチ４６は、スイッチをＯＦＦ状態にする。これにより、バッテリセル４４から携帯電話機１への電流の供給を遮断することができる。
【００４６】
保護ＩＣ５６は、バッテリセル４４からの過電流、過電圧、及び過放電を検出し、検出された状態に応じてＦＥＴスイッチ４６及びＦＥＴスイッチ４７を制御し、バッテリセル４４の過電流、過電圧、及び過放電を抑制する。具体的には、例えば保護ＩＣ５６には、予め閾値電流が設定され、設定された閾値電流を超えた場合、過電流であると判断して、ＦＥＴスイッチ４６をＯＦＦ状態にする。ここで、予め設定される閾値電流は、例えば携帯電話機１の動作に必要となる電流値より高い電流値を設定することができる。
【００４７】
このように本実施形態の保護回路３４によれば、レジスタ５０により設定された閾値電流に基づく電圧Ｖ１と、抵抗Ｒ２により検出された電流値に基づく電圧Ｖ２とを比較する。比較した結果、電圧Ｖ２が電圧Ｖ１よりも大きい場合、バッテリセル４４から携帯電話機１への電流の供給が行われるときの第１の電圧値（Ｈｉｇｈ）とは異なる第２の電圧値（Ｌｏｗ）を出力する。そして、ＦＥＴスイッチ４６は、オペアンプ５５により第２の電圧値が出力された場合、バッテリセル４４による電流の供給を停止する。
【００４８】
これにより、抵抗Ｒ２により検出された電流が閾値電流よりも大きい場合を過電流であると判断して、バッテリセル４４からの電流の供給を停止することができる。
【００４９】
また、本実施形態の保護回路３４によれば、携帯電話機１と電池パック３２とが接続された状態において、電池パック３２に対して携帯電話機１の動作状態に応じた信号を出力する。そして、レジスタ５０は、携帯電話機１と電池パック３２とを接続した状態において、携帯電話機１の動作状態に応じた信号に基づいて、閾値電流を設定する。
【００５０】
これにより、携帯電話機１の動作状態に応じた閾値電流を設定することができるため、携帯電話機１の動作に必要な電流よりも大きな電流がバッテリセル４４から供給される場合には、過電流であると判断して、バッテリセル４４からの電流の供給を停止することができる。
【００５１】
また、携帯電話機１と、電池パック３２との接続を解除した状態において、レジスタ５０は、抵抗Ｒ６によりプルダウンされたときの電圧に基づき、レジスタマップを参照して、電圧Ｖ２が、電圧Ｖ１よりも大きくなるように、閾値電流を設定する。このときの閾値電流は、例えば正極端子４１と負極端子４２とが一定の抵抗値を有する金属によって短絡された場合に抵抗Ｒ２により検出される電流値よりも小さい電流値に設定される。
【００５２】
このように本実施形態の保護回路３４によれば、携帯電話機１と電池パック３２との接続を解除した状態において、電圧Ｖ２が、電圧Ｖ１よりも大きくなるように、閾値電流を設定する。これにより、例えば正極端子４１と負極端子４２とが一定の抵抗値を有する金属によって短絡された場合、オペアンプ５５は、第２の電圧値（Ｌｏｗ）を出力する。そして、ＦＥＴスイッチ４６は、オペアンプ５５からの第２の電圧値に応じて、スイッチをＯＦＦ状態にすることができる。
【００５３】
＜第２実施形態＞
次に、本発明に係る第２実施形態について図６を参照しながら説明する。以下、第２実施形態における携帯電話機１について第１実施形態における携帯電話機１と異なる点を中心に説明し、第１実施形態と同様の構成及び動作については説明を簡略又は省略する。
【００５４】
第２実施形態の保護回路３４は、主として、レギュレータ５７、基準電圧５８、オペアンプ５９、抵抗Ｒ７、及び抵抗Ｒ８を備え、レジスタ５０により設定された閾値電流に基づく電圧値及び抵抗Ｒ２により検出された電流値に基づく電圧値の合計値と、予め設定された基準電圧値とを入力電圧としてオペアンプ５９により比較する点が第１実施形態と異なる。
【００５５】
図６は、本発明に係る第２実施形態の電池パック３２及び電池パック３２の過電流を抑制するための保護回路３４について示す回路図である。図６に示すように、電池パック３２は、主として、保護回路３４と、バッテリセル４４と、ＰＴＣ抵抗素子４５とを備える。保護回路３４は、主として、正極端子４１と、負極端子４２と、ＩＤ端子４３と、バッテリセル４４からの放電を制御するＦＥＴスイッチ４６と、バッテリセル４４への充電を制御するＦＥＴスイッチ４７と、保護ＩＣ５６と、Ａ／Ｄコンバータ４８と、ラッチ４９と、レジスタ５０と、Ｄ／Ａコンバータ５１と、タイマ５２と、バッファ５３と、レギュレータ５７と、基準電圧５８と、オペアンプ５９と、抵抗Ｒ２、Ｒ３、Ｒ４、Ｒ５、Ｒ６、Ｒ７、Ｒ８とを備える。
【００５６】
レギュレータ５７は、一端が正極端子４１と、バッテリセル４４との間に接続され、他端がバッファ５３の出力側に接続される。また、抵抗Ｒ７は、一端がレギュレータ５７及びバッファ５３の出力側と接続され、他端がオペアンプ５４の出力側と接続される。
【００５７】
オペアンプ５９は、レジスタ５０により設定された閾値電流に基づく電圧値、及び抵抗Ｒ２により検出された電流値に基づく電圧値の合計値である電圧Ｖ３をマイナス端子の入力電圧として入力し、予め設定された基準電圧５８から供給される基準電圧Ｖｒｅｆをプラス端子の入力電圧として入力する。そして、オペアンプ５９は、電圧Ｖ３と、基準電圧Ｖｒｅｆとを比較して、電圧Ｖ３が基準電圧Ｖｒｅｆよりも小さい場合、第１の電圧値（Ｈｉｇｈ）を出力する。
【００５８】
また、オペアンプ５９は、電圧Ｖ３と、基準電圧Ｖｒｅｆとを比較して、電圧Ｖ３が基準電圧Ｖｒｅｆよりも大きい場合、バッテリセル４４から携帯電話機１への電流の供給が行われるときの第１の電圧値（Ｈｉｇｈ）とは異なる第２の電圧値（Ｌｏｗ）を出力する。
【００５９】
そして、ＦＥＴスイッチ４６は、オペアンプ５９により第２の電圧値（Ｌｏｗ）が出力された場合、スイッチをＯＦＦ状態にする。これにより、バッテリセル４４による携帯電話機１への電流の供給は停止される。
【００６０】
第２実施形態の保護回路３４及びこの保護回路３４を備える電池パック３２は、第１実施形態の効果に加え、以下の効果を奏することができる。
【００６１】
すなわち、第２実施形態の保護回路３４によれば、電圧Ｖ３と、基準電圧Ｖｒｅｆとを比較して、電圧Ｖ３が基準電圧Ｖｒｅｆよりも大きい場合、バッテリセル４４から携帯電話機１への電流の供給が行われるときの第１の電圧値（Ｈｉｇｈ）とは異なる第２の電圧値（Ｌｏｗ）を出力する。そして、第２の電圧値（Ｌｏｗ）が出力された場合、バッテリセル４４による携帯電話機１への電流の供給を停止する。
【００６２】
このため、抵抗Ｒ７によって閾値電流に基づく電圧のインピーダンスを変えることで、レジスタ５０及びＤ／Ａコンバータ５１を介した閾値電流の誤差を調整することができる。したがって、より高い精度で過電流の検出を行うことができる。
【００６３】
＜処理の流れ＞
次に、第１実施形態及び第２実施形態の携帯電話機１の処理の流れについて説明する。図７及び図８は、携帯電話機１の処理の流れを示すフローチャートである。なお、本フローチャートでは、電池パック３２と、携帯電話機１との接続を解除した状態を前提とする。
【００６４】
ステップＳ１において、抵抗Ｒ６は、ＩＤ端子４３と、ＩＤ端子８３とが接続を解除した状態であるため、プルダウン抵抗として機能する。そして、レジスタ５０は、抵抗Ｒ６によりプルダウンされた信号に対応する電流値に閾値電流を設定する。
【００６５】
ステップＳ２において、ユーザは、電池パック３２を携帯電話機１に接続する。この場合、正極端子４１、負極端子４２、及びＩＤ端子４３と、正極端子８１、負極端子８２、及びＩＤ端子８３とはそれぞれ接続する。
【００６６】
ステップＳ３において、レジスタ５０は、システムＩＣ６４から供給される携帯電話機１の起動動作に対応する信号に応じて、閾値電流を設定する。
【００６７】
ステップＳ４において、システムＩＣ６４は、携帯電話機１の電源がＯＮ状態であるか否かを判定する。電源がＯＮ状態である場合（Ｙｅｓ）には、ステップＳ５へ移る。一方、電源がＯＦＦ状態である場合（Ｎｏ）には、ステップＳ４へ移る。
【００６８】
ステップＳ５において、システムＩＣ６４は、Ｄ／Ａ出力端子８５からバッファ８４及びＩＤ端子８３を介して電池パック３２へ所定の信号を供給し、電池パック３２が正規品であるか否かを判定する。電池パック３２が正規品である場合（Ｙｅｓ）には、ステップＳ６へ移る。一方、電池パック３２が正規品でない場合（Ｎｏ）には、ステップＳ７へ移る。
【００６９】
ステップＳ６において、レジスタ５０は、レジスタマップを参照して、システムＩＣ６４からＩＤ端子４３を介して供給される信号に応じた閾値電流に設定する。
【００７０】
ステップＳ７において、システムＩＣ６４は、携帯電話機１の電源を遮断し、ＯＦＦ状態となるように制御と共に、ディスプレイ２１又は／及び音声出力部２２によりユーザに対して電池パック３２が正規品ではなく、不適合品であることを報知する。これにより、正規品でない電池パック３２によって携帯電話機１へ電流を供給することを抑制することができる。
【００７１】
ステップＳ８において、システムＩＣ６４は、携帯電話機１の動作状態が更新されたか否かを判定する。携帯電話機１の動作状態が更新された場合（Ｙｅｓ）には、ステップＳ９へ移る。一方、携帯電話機１の動作状態が更新されていない場合（Ｎｏ）には、再びステップＳ８へ移る。
【００７２】
ステップＳ９において、システムＩＣ６４は、ステップＳ８において携帯電話機１の動作状態が更新されたため、その動作状態（例えば、通話やテレビ視聴等）に応じた信号を電池パック３２へ供給する。
【００７３】
ステップＳ１０において、レジスタ５０は、レジスタマップを参照し、ステップＳ９において供給された信号に応じた閾値電流を設定する。
【００７４】
ステップＳ１１において、システムＩＣ６４は、携帯電話機１の電源がＯＦＦ状態であるか否かを判定する。携帯電話機１の電源がＯＦＦ状態である場合（Ｙｅｓ）には、ステップＳ１２へ移る。一方、携帯電話機１の電源がＯＮ状態である場合（Ｎｏ）には、ステップＳ８へ移る。
【００７５】
ステップＳ１２において、システムＩＣ６４は、携帯電話機１と電池パック３２との接続が解除されたか否かを判定する。携帯電話機１と電池パック３２との接続が解除された場合（Ｙｅｓ）には、ステップＳ１へ移る。一方、携帯電話機１と電池パック３２との接続が解除されない場合（Ｎｏ）には、ステップＳ１３へ移る。
【００７６】
ステップＳ１３において、システムＩＣ６４は、携帯電話機１の起動動作に対応する電圧（信号）を電池パック３２へ供給する。
【００７７】
ステップＳ１４において、レジスタ５０は、レジスタマップを参照して、ステップＳ１３において供給された信号に対応する閾値電流を設定する。
【００７８】
ステップＳ１５において、システムＩＣ６４は、携帯電話機１の電源をＯＦＦ状態となるように制御する。そして、この後、携帯電話機１は、電源ＯＦＦ状態となる。
【００７９】
このように、保護回路３４は、携帯電話機１の動作状態に応じて閾値電流を設定するため、携帯電話機１の動作状態に応じた過電流を検出し、バッテリセル４４からの過電流の供給を遮断することができる。
【００８０】
以上、本発明の一実施形態について説明したが、本発明は前述した実施形態に制限されるものではなく、適宜変更が可能である。上述した実施形態では、携帯電話機１の動作状態の一例として、通話、テレビ視聴、待ち受け状態等を挙げたが、これに限らない。例えば、携帯電話機１で動作可能な他の機能を動作状態として用いてもよい。
【００８１】
また、上述した実施形態においては、携帯電話機１について説明したが、本発明はこれに限定されるものではなく、例えば、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、例えばノートパソコン等の携帯型パーソナルコンピュータ等であってもよい。
【図面の簡単な説明】
【００８２】
【図１】本発明に係る携帯電話機の外観を示す斜視図である。
【図２】本発明に係る携帯電話機に備えられている操作部側筐体部の構成を示す斜視図である。
【図３】本発明に係る携帯電話機の機能を示すブロック図である。
【図４】本発明に係る保護回路の第１実施形態を示す回路図である。
【図５】レジスタのレジスタマップの一例を示す図である。
【図６】本発明に係る保護回路の第２実施形態を示す回路図である。
【図７】携帯電話機の処理の流れを示すフローチャートである。
【図８】携帯電話機の処理の流れを示すフローチャートである。
【符号の説明】
【００８３】
１  携帯電話機
３２  電池パック
３４  保護回路
４４  バッテリセル（供給部）
４６  ＦＥＴスイッチ（制御部）
５０  レジスタ（設定部）
５５  オペアンプ（出力部）
Ｒ２  抵抗（検出部）
【図１】
2010130755.tif 000003
【図２】
2010130755.tif 000004
【図３】
2010130755.tif 000005
【図４】
2010130755.tif 000006
【図５】
2010130755.tif 000007
【図６】
2010130755.tif 000008
【図７】
2010130755.tif 000009
【図８】
2010130755.tif 000010